(57)【要約】【課題】発光状態の変更が容易で、用途の異なる複数種類で共用可能な薄型の電気機器を実現する。【解決手段】発光装置を、光源ユニット１とソケット２とから構成した。光源ユニット１は、筐体１１、導光板１２、光源側基板１３を備える。筐体１１は、前後面に開放し、前後方向の中間部に仕切板１１１を備える。導光板１２を仕切板１１１の前面側に保持し、光源側基板１３を仕切板１１１の背面に前面を密着させて保持した。光源側基板１３は導光板１２の上端面に対向したＬＥＤ４の駆動回路を実装し、背面に駆動回路の接続端子５を保持する。ソケット２は、挟持部材２１，２２、背面部材２３、電源側端子９を備える。挟持部材２１，２２は、前面側から挿入された光源ユニット１を着脱自在に挟持する。背面部材２３は接続端子５が貫通する孔部７を備える。電源側端子９は孔部７に対向する状態で背面部材２３の背面に保持する。【選択図】図１
2007311419.tif 000002
【特許請求の範囲】
【請求項１】
前後面が開放した筐体であって、一部に開口部を有する仕切板を前後方向の中間部に備え、前記仕切板の前面側に光源保持部材を形成し、前記仕切板の背面側に基板保持部材を形成した筐体と、
前記光源保持部材を介して前記仕切板の前面側に保持される光源と、
前記開口部を経由して前記光源を駆動する駆動回路を実装するとともに前記駆動回路の接続端子を背面に保持した光源側基板であって、前記基板保持部材を介して前記仕切板の背面に前面を密着させて保持される光源側基板と、を備えたことを特徴とする光源ユニット。
【請求項２】
前記開口部は、前記筐体の一方の内側面との間に形成され、
前記光源は、前記開口部に配置された複数のＬＥＤと、前記複数のＬＥＤが端面に対向する導光板と、を含むことを特徴とする請求項１に記載の光源ユニット。
【請求項３】
前面側から挿入された請求項１又は２に記載の前記光源ユニットを着脱自在に挟持する挟持部材と、前記接続端子が貫通する孔部を備えた背面部材と、前記背面部材の背面に前記孔部に対向させて保持される電源側端子と、を備えたことを特徴とするソケット。
【請求項４】
前記電源側端子を前面側に面状に設け、前記電源側端子に導通するとともに電源側のプラグが着脱されるコネクタを背面側に実装したソケット側基板をさらに備えたことを特徴とする請求項３に記載のソケット。
【請求項５】
請求項１又は２に記載の光源ユニットと、請求項３又は４に記載のソケットと、を含むことを特徴とする発光装置。
【発明の詳細な説明】
【技術分野】
【０００１】
この発明は、表示灯等の電気機器に用いられる発光装置、並びに、この発光装置を構成する光源ユニット及び光源ユニットを電源に接続するためのソケットに関する。
【背景技術】
【０００２】
表示灯等の電気機器は、用途に応じて種々の光源を備えている。例えば、表示面の全面に均一な光量の光を照射させる場合には、表示面からイメージが視認され難い状態で光源を備える必要がある。この場合に、光源として白熱電球を用いた光源では、表示面から光源までの前後方向の距離を充分長くしなければならず、前後方向に小型化することが難しい。
【０００３】
そこで、従来の光源として、表示面を板状の導光板で構成し、複数のＬＥＤを導光板の端面に対向して配置したものがある（例えば、特許文献１参照。）。複数のＬＥＤの光が端面から導光板内に入射した後、導光板の内部で拡散して前面から照射される。この構成では、導光板の端面に対向してＬＥＤが配置されるため、前後方向の長さが充分に短くなり、小型化が容易になる。
【０００４】
また、特許文献２では、薄型のＬＥＤモジュールに、電流制御用の抵抗器、モジュールの背面から後方へ延びるリードやこれらを維持するリードホルダが設けられている。
【特許文献１】特開２００１−２５０４１０号公報
【特許文献２】特開平０８−２７２３２０号公報
【発明の開示】
【発明が解決しようとする課題】
【０００５】
近年、電気機器が薄型化及び小型化し、ソケットに電球を取り付けるような照明の分野にも及び、ソケットに様々な電流を取り付けるのと同様に、ソケットに薄型の様々な光源ユニットを取り付けるものが求められている。しかしながら、特許文献２のような技術では、ＬＥＤモジュールか薄型であってもリードやリードホルダのようなＬＥＤモジュールを搭載する部分が大型であるために全体として大型になり、薄型機器への搭載が容易でないという問題点があった。
【０００６】
この発明の目的は、光源と駆動回路とを薄型の筐体に一体的に備えた光源ユニット、及び、光源ユニットを電源に接続するソケットからなり、発光状態の変更が容易で、用途の異なる複数種類で筐体を共用可能な薄型の電気機器を実現できる発光装置を提供することにある。
【課題を解決するための手段】
【０００７】
この発明の発光装置は、光源ユニットとソケットとを含む。
【０００８】
光源ユニットは、筐体、光源、光源側基板を備えている。筐体は、前後面が開放しており、前後方向の中間部に仕切板を備えている。仕切板は、一部に開口部を有している。筐体内の仕切板の前面側には光源保持部材が形成されており、仕切板の背面側には基板保持部材が形成されている。光源は光源保持部材を介して仕切板の前面側に保持される。光源側基板は、基板保持部材を介して仕切板の背面に前面を密着させて保持される。光源側基板は、開口部を経由して光源を駆動する駆動回路を実装しており、背面に駆動回路の接続端子を保持している。
【０００９】
ソケットは、挟持部材、背面部材、電源側端子を備えている。挟持部材は、前面側から挿入された光源ユニットを着脱自在に挟持する。背面部材は、接続端子が貫通する孔部を備えている。電源側端子は、孔部に対向する状態で背面部材の背面に保持される。
【００１０】
この構成では、光源と光源の駆動回路とを備えた光源ユニットが、ソケットに着脱自在に挟持される。光源ユニットをソケットに挟持させた状態で、駆動回路の接続端子が孔部を経由して電源側端子に圧接し、駆動回路が電源に接続される。
【００１１】
光源ユニットは、仕切板の開口部を筐体の一方の内側面との間に形成し、開口部に複数のＬＥＤを導光板の端面に対向させて配置したものとしてもよい。これによって、光源ユニットが薄型に構成される。
【００１２】
ソケットは、ソケット側基板をさらに備え、電源側端子をソケット側基板の前面側に面状に設け、電源側端子に導通するとともに電源側のプラグが着脱されるコネクタをソケット側基板の背面側に実装したものとしてもよい。これによって、電源側のプラグをコネクタに装着することで、ソケットの電源側端子が電源に簡単に接続される。
【発明の効果】
【００１３】
この発明の発光装置によれば、光源と光源の駆動回路とを備えた光源ユニットがソケットに着脱自在に挟持され、光源ユニットをソケットに挟持させた状態で駆動回路の接続端子が孔部を経由して電源側端子に圧接して駆動回路が電源に接続されるようにすることで、発光状態の変更が容易で、用途の異なる複数種類で筐体を共用可能な薄型の電気機器を実現することができる。
【００１４】
また、光源ユニットにおける仕切板の開口部を筐体の一方の内側面との間に形成し、開口部に複数のＬＥＤを導光板の端面に対向させて配置することで、光源ユニットを薄型に構成できる。
【００１５】
さらに、ソケットにソケット側基板をさらに備え、電源側端子をソケット側基板の前面側に面状に設け、電源側端子に導通するとともに電源側のプラグが着脱されるコネクタをソケット側基板の背面側に実装することで、コネクタに対する電源側のプラグの装着によって、ソケットの電源側端子を電源に簡単に接続することができる。
【発明を実施するための最良の形態】
【００１６】
図１は、この発明の実施形態に係る光源ユニットの組立図である。図２は、同光源ユニットの側面断面図である。光源ユニット１は、筐体１１、導光板１２、光源側基板１３を備えている。
【００１７】
筐体１１は、前後面が開放した矩形の中空形状を呈している。筐体１１の上面には、２カ所に突起１１６が形成されている。筐体１１の底面には、少なくとも中央の１カ所に突起１１７が形成されている。
【００１８】
筐体１１は、前後方向の中間部に仕切板１１１を備えている。仕切板１１１は、その背面側の光源側基板１３等が前面側から見えないようにするための機能を有する。また、仕切板１１１の前面の表面は光沢を有し、その前面側に保持される光源（ここでは、導光板１２及びＬＥＤ４）で発生する光を前方へ反射する機能を有する。
【００１９】
仕切板１１１は、筐体１１の上面の内側面との間に開口部１１１Ａを備えている。筐体１１の左右の内側面における仕切板１１１の前面側には、光源保持部材である係止片１１２が上下２カ所ずつに形成されている。仕切板１１１の前面側は、光源保持部１１３にされている。筐体１１の左右の内側面における仕切板１１１の背面側の上部には、基板保持部材である突起１１４が上下２カ所ずつに形成されている。仕切板１１１の背面側の上部は、基板保持部１１５にされている。光源保持部１１３と基板保持部１１５とは、開口部１１１Ａによって連通している。
【００２０】
導光板１２は、透光性の板状体であり、端面から入射した光を内部で拡散及び反射して前面から出射させる。導光板１２の前面は、全体から均一の光量の光が照射され、面光源を構成する。導光板１２の左右の側面には、凹部１２１が上下２カ所ずつに形成されている。導光板１２は、光源保持部１１３の形状より僅かに小さい形状にされている。導光板１２を光源保持部１１３内に前面側から挿入すると、凹部１２１に係止片１１２が弾性的に係合する。導光板１２は、光源保持部１１３内に着脱自在に保持される。導光板１２の前面には、フィルタ又は透明カバーが適宜配置される。
【００２１】
光源側基板１３は、水平部材１３Ａと垂直部材１３Ｂとからなる。水平部材１３Ａには、複数個のＬＥＤ４が下向きに実装されている。垂直部材１３Ｂの背面には、一例として３個の電子部品６Ａ，６Ｂ，６Ｃが実装されている。電子部品６Ａ，６Ｂ，６Ｃは、ＬＥＤ４の駆動回路を構成する。垂直部材１３Ｂの背面には、さらに、駆動回路の接続端子５が片持ち支持されている。接続端子５は、前後方向に弾性変形自在にされている。光源側基板１３には、接続端子５に接続された外部の電源が駆動回路を介してＬＥＤ４に給電するように配線がプリントされている。
【００２２】
光源側基板１３は、基板保持部１１５の形状より僅かに小さい形状にされている。光源側光源側基板１３を基板保持部１１５内に背面側から挿入すると、水平部材１３Ａが開口部１１１Ａを貫通し、突起１１４が垂直部材１３Ｂの左右の側端部に弾性的に係合する。光源側基板１３は、基板保持部１１５内に保持される。
【００２３】
基板保持部１１５内に保持された光源側基板１３の水平部材１３Ａが開口部１１１Ａを貫通することにより、ＬＥＤ４が光源保持部１１３に露出する。ＬＥＤ４は、光源保持部１１３内に保持された導光板１２の上端面に対向する。
【００２４】
基板保持部１１５内に光源側基板１３を保持させた状態で、垂直部材１３Ｂの裏面に支持された接続端子５は、一部が筐体１１の裏面側に露出する。接続端子５を電源に接続することで、光源側基板１３が実装している駆動回路に電源が供給され、ＬＥＤ４に給電することができる。ＬＥＤ４が点灯すると、ＬＥＤ４の光が導光板１２内に入射して導光板１２の前面から均一の光量で出射する。
【００２５】
光源ユニット１は前後方向に薄型に形成することができるため、光源ユニット１を備える発光装置を前後方向に小型化することができる。特に、光源側基板１３の垂直部材１３Ｂの前面は電子部品を実装していないため、仕切板１１１の背面に密着させることができ、光源ユニット１は前後方向により薄型に形成されている。光源ユニット１は、接続端子５を電源に接続することでＬＥＤ４の光を外部に照射することができるため、光源ユニット１を備える発光装置に駆動回路を備える必要がなく、発光装置の設計を容易にすることができる。また、発光装置における光源ユニット１の交換を、容易に行うことができる。
【００２６】
なお、光源ユニット１は、前面の全体から均一な光量の光を照射する面発光の光源としたが、これに限るものではない。例えば、図３（Ａ）及び（Ｂ）に示す単一又は複数の点光源４１，４２を備えた光源ユニット１Ａ，１Ｂや図３（Ｃ）に示す７セグメントの光源４３を備えた光源ユニット１Ｃとすることもできる。この場合には、仕切板１１１の中央部に開口部を形成するとともに、光源側基板１３を垂直部材１３Ｂのみで構成し、垂直部材１３Ｂの表面にＬＥＤ４を実装する。仕切板１１１の形状を除いて同一形状の筐体１１を用いることで、同一の発光装置に用いる光源ユニットを容易に変更でき、発光装置の用途の変更に容易に対応することができる。
【００２７】
図４は、この発明の実施形態に係る発光装置を備えた電気機器の一例である表示灯を示す外観図である。図５は、同表示灯の側面断面図である。電気機器である表示灯３は、左右に２個のカバー３１を備えている。各カバー３１にはソケット２が収納される。ソケット２は光源ユニット１とともにこの発明の発光装置を構成する。各ソケット２には、前カバー３２で被覆された光源ユニット１が装着される。なお、光源ユニット１は、図１及び２に示す状態から上下を反転してソケット２に装着される。
【００２８】
ソケット２には、上下の内側面に挟持部材２１，２２を備えている。挟持部材２１，２２は、前面側から挿入された光源ユニット１の突起１１７，１１６に弾性的に係合し、光源ユニット１を着脱自在に挟持する。ソケット２は、孔部７が形成された平板状の背面部材２３を備えている。孔部７には、前面側から挿入された光源ユニット１の接続端子５が貫通する。背面部材２３は、背面にソケット側基板８を保持する。ソケット側基板８の前面には、孔部７に対向する面状の電源側端子９が形成されている。ソケット側基板８の背面には、電源側端子９に導通するとともに電源側のプラグが着脱されるコネクタ１０が実装されている。これによって、ソケット２は前後方向に薄型に形成される。
【００２９】
コネクタ１０に電源側のプラグを装着すると、電源側端子９が電源に接続される。電源側端子９は、背面部材２３の背面に保持されたソケット側基板８の前面に面状に形成されており、孔部７を介してソケット２の前面側に露出している。したがって、図５（Ａ）に示すように、ソケット２に光源ユニット１を装着すると、光源ユニット１の接続端子５が孔部７を貫通して電源側端子９に圧接し、光源ユニット１の駆動回路に電源が供給される。光源ユニット１の駆動回路に対する電源の供給が、コネクタ１０への電源側のプラグの装着によって容易に行われる。
【００３０】
孔部７は、フィンガープロテクションに関するＩＥＣ規格のＩＰ２０を満足する形状にされている。したがって、図５（Ｂ）に示すように、光源ユニット１を外した状態でも、作業者の手指が孔部７を経由して電源側端子９に接触することはない。光源ユニット１の着脱作業中における作業者の安全性が確保されている。
【００３１】
表示灯３に光源ユニット１及びソケット２からなる発光装置を備えることで、形状が同一で光源の状態が異なる複数種類の光源ユニットのいずれかを任意に選択して表示灯３に配置することができ、使用状態に応じて表示灯３からの光の照射状態を容易に変更することができる。これによって、発光状態の変更が容易で、用途の異なる複数種類で共用可能な薄型の電気機器を実現できる。
【００３２】
光源に対する電源供給及び駆動制御のための回路は、光源ユニット１及びソケット２に収納されているため、表示灯３の本体に備える必要がない。表示灯３の設計を容易化することができる。
【００３３】
なお、この発明の発光装置は、表示灯３に限るものではない。ソケット２を収納できることを条件に表示灯以外の発光装置にもこの発明を同様に適用することができる。
【図面の簡単な説明】
【００３４】
【図１】この発明の実施形態に係る光源ユニットの組立図である。
【図２】同光源ユニットの側面断面図である。
【図３】この発明の別の実施形態に係る光源ユニットの外観図である。
【図４】この発明の実施形態に係る発光装置を備えた電気機器の一例である表示灯を示す外観図である。
【図５】同表示灯の側面断面図である。
【符号の説明】
【００３５】
１  光源ユニット
２  ソケット
３  表示灯
４  ＬＥＤ
５  接続端子
６Ａ〜６Ｃ  電子部品
７  孔部
８  ソケット側基板
９  電源側端子
１０  コネクタ
１１  筐体
１２  導光板
１３  光源側基板
１１１  仕切板
１１１Ａ  開口部
【図１】
2007311419.tif 000003
【図２】
2007311419.tif 000004
【図３】
2007311419.tif 000005
【図４】
2007311419.tif 000006
【図５】
2007311419.tif 000007